(57)【特許請求の範囲】
【請求項１】
筐体本体と蓋とから筐体が構成され、前記筐体本体と前記蓋の間に気密を保持するためのＯ―リング等のパッキンが使用されている屋外装置の気密の確保方法において、前記筐体内部に昇華性物質を封入する段階を有することを特徴とする屋外装置の気密の確保方法。
【請求項２】
前記昇華性物質には、前記筐体が設置される温度範囲で、外気圧程度の気圧で昇華する物質が選ばれる請求項１記載の屋外装置の気密の確保方法。
【請求項３】
装置の設置環境が低温の場合でも前記昇華性物質の一定量の昇華が起こるように、前記筐体内部の気温を上昇させる段階をさらに有する請求項１記載の屋外装置の気密の確保方法。
【請求項４】
前記筐体内部の気温を上昇させるために、前記筐体内部に発熱体を使用する請求項３記載の屋外装置の気密の確保方法。
【請求項５】
前記筐体内部の気温を上昇させるために、前記筐体外部より加熱する請求項３記載の屋外装置の気密の確保方法。
【請求項６】
前記昇華性物質は、前記屋外装置のメインテナンス等のために次回に蓋を開くまでの間に必要なガスを供給できる量が使用される請求項１ないし５のいずれか一記載の屋外装置の気密の確保方法。
【請求項７】
筐体本体と蓋とから筐体が構成され、前記筐体本体と前記蓋の間に気密を保持するためのＯ―リング等のパッキンが使用されている屋外装置において、前記筐体内部に封入された昇華性物質を有することを特徴とする屋外装置。
【請求項８】
前記昇華性物質には、前記筐体が設置される温度範囲で、外気圧程度の気圧で昇華する物質が選ばれる請求項７記載の屋外装置。
【請求項９】
設置環境が低温の場合でも前記昇華性物質の一定量の昇華が起こるように、前記筐体内部の気温を上昇させる手段をさらに有する請求項７記載の屋外装置。
【請求項１０】
前記筐体内部の気温を上昇させる手段が、前記筐体内部に設けられた発熱体である請求項９記載の屋外装置。
【請求項１１】
前記筐体内部の気温を上昇させる手段が、前記筐体外部より加熱する手段である請求項９記載の屋外装置。
【請求項１２】
前記昇華性物質は、メインテナンス等のために次回に前記蓋を開くまでの間に必要なガスを供給できる量が使用される請求項７ないし１１のいずれか一記載の屋外装置。
【発明の詳細な説明】
【０００１】
【発明の属する技術分野】
本発明は、電気器具等を実装するための屋外装置に関し、特に、筐体本体と蓋とから筐体が構成され、筐体本体と蓋の間に気密を保持するためのＯ―リング等のパッキンが使用されている屋外装置の気密の確保方法およびその装置に関する。
【０００２】
【従来の技術】
通信機の送受信装置のように、電気器具を実装するための屋外装置等において、気密の確保、つまり、外部からの湿気や有害性気体を遮断することは、機構設計での重要な点の一つである。特に、組立やメインテナンスのための開閉部は、確実な設計が求められていた。
【０００３】
従来、この開閉部の気密を確保するためには、Ｏ―リング等のゴム製のパッキンが使用されていた。すなはち、一例を図５に示すように、回路基板６を実装するための屋外装置の筐体４１は、本体３と蓋２とから成り、本体３の蓋２に対応する面に設けられた溝４と蓋２との間にパッキン５を挟み、パッキン５が溝４を埋めることで、外部との間で気密を確保していた。
【０００４】
【発明が解決しようとする課題】
上述した従来の方法は、ゴムパッキン等が使用されているが、完全に外部からの湿気／有害性気体を遮断することは困難である。すなわち、外気圧の方が高い場合には、わずかの隙間でも湿気等が浸入してくるし、内外が等圧の場合でも毛細管現象で、やはり外部から湿気が浸入してくる。
【０００５】
こうした湿気等の浸入を防ぐためには、筐体内部の圧力を常に外気よりも高い状態に保つことが必要であるが、小型の装置ではスペ−ス／コストの都合等で、内気圧を高くするためにポンプ等を使用することは容易にはできなかった。また、組立時に内圧を高くして設置する方法もあるが、この方法では、一度組み立て後は、空気／ガスの補給がないために、時間が経つに連れて内圧が下がり、効果が薄れる欠点があった。
【０００６】
本発明の目的は、機構的に複雑となることなく、気密が確保される電気器具等を実装するための屋外装置の気密確保方法、および、その装置を提供することである。
【０００７】
【課題を解決するための手段】
本発明の屋外装置の気密の確保方法は、
筐体本体と蓋とから構成され、筐体本体と蓋の間に気密を保持するためのＯ―リング等のパッキンが使用されている屋外装置の気密の確保方法において、筐体内部に昇華性物質を封入する段階を有する。
【０００８】
筐体内部に昇華性物質が封入されているので、内部の圧力を常に外気よりも高い状態に保つことができ、気密が確保される。
【０００９】
昇華性物質には、筐体が設置される温度範囲で、外気圧程度の気圧で昇華する物質が選ばれるものを含む。
【００１０】
装置の設置環境が低温の場合でも昇華性物質の一定量の昇華が起こるように、筐体内部の気温を上昇させる段階をさらに有するものを含む。
【００１１】
筐体内部の気温を上昇させるために、筐体内部に発熱体を使用してもよい。
【００１２】
筐体内部の気温を上昇させるために、筐体外部より加熱してもよい。
【００１３】
昇華性物質は、屋外装置のメインテナンス等のために次回に蓋を開くまでの間に必要なガスを供給できる量が使用されるものを含む。
【００１４】
本発明の屋外装置は、
筐体本体と蓋とから筐体が構成され、筐体本体と蓋の間に気密を保持するためのＯ―リング等のパッキンが使用されている屋外装置において、筐体内部に封入された昇華性物質を有する。
【００１５】
昇華性物質には、筐体が設置される温度範囲で、外気圧程度の気圧で昇華する物質が選ばれるものを含む。
【００１６】
設置環境が低温の場合でも昇華性物質の一定量の昇華が起こるように、筐体内部の気温を上昇させる手段をさらに有するものを含む。
【００１７】
筐体内部の気温を上昇させる手段が、筐体内部に設けられた発熱体であってもよい。
【００１８】
筐体内部の気温を上昇させる手段が、筐体外部より加熱する手段であってもよい。
【００１９】
昇華性物質は、メインテナンス等のために次回に蓋を開くまでの間に必要なガスを供給できる量が使用されるものを含む。
【００２０】
【発明の実施の形態】
次に、本発明の実施の形態について図面を参照して説明する。
【００２１】
図１は、本発明の屋外装置の第１の実施の形態の縦断面図である。
【００２２】
第１の実施の形態の屋外装置は、図１に示すように、図５の屋外装置の筐体４１と同様に構成された筐体１の内部に、昇華性物質７が封入されている。昇華性物質７からは、昇華によりガス８が発生し、筐体１の内部を満たす。
【００２３】
昇華性物質７としては、筐体が設置される温度範囲で、外気圧（１気圧）程度で昇華する物質が選ばれる。また、メインテナンス等で次に蓋２を開くまでの間に必要かつ十分なガス量を供給できるような量の昇華性物質を用いる。
【００２４】
（動作の説明）
昇華性物質７が無い場合、内圧は外気圧に等しい。しかし、昇華性物質７を封入した場合、発生したガス８により筐体の内圧が上がり、外気圧よりも高くなる。
【００２５】
そのため、湿気や気体の流れは内部から外部へ流出する方向になる。このとき、実際に外部へ流出する量はごく僅かであり、大半は筐体内部にとどまって、内圧を上げる働きをする。
【００２６】
よって、このような状態では毛細管現象でパッキン５から浸入しようとする水分／湿気等も、逆に内部から外部へと流出しようとするガス８のために、容易に浸入できない。
【００２７】
筐体１の本体３には、筐体４１の場合と同様に湿気等に弱い電気回路の基板６が実装されているが、昇華性物質７が封入されているので、湿気等が浸入せず、実装基板が劣化するおそれがなくなる。
【００２８】
図２は、本発明の屋外装置の第２の実施の形態の縦断面図である。
【００２９】
第２の実施の形態の屋外装置は、図２に示すように、図１の屋外装置の筐体１と同様の筐体１１の内部に発熱体９が設けられた構成となっている。発熱体９は、この場合、電熱ヒーターであるが、使用中に熱を放散するアンプのようなものであってもよい。発熱体９の上部に昇華性物質７が載せられている。
【００３０】
この屋外装置では、筐体内部の発熱体９が発する熱によって内部気体が暖められるので、装置の設置環境が低温の場合でも必要な内部気圧が得られ、気密が確保される。
【００３１】
図３は、本発明の屋外装置の第３の実施の形態の縦断面図である。
【００３２】
第３の実施の形態の屋外装置は、図３に示すように、図１の屋外装置の筐体１と同様の構成の筐体２１が発熱体１０の上に載置された構成となっている。発熱体１０は図２の発熱体９と同様に、専用の電熱ヒーターであるが、アンプ等を利用してもよい。発熱体１０が発する熱は、筐体２１に伝導して内部気体を暖めるので、装置の設置環境が低温の場合でも必要な内部気圧が得られ、気密が確保される。
【００３３】
図４は、本発明の屋外装置の第４の実施の形態の正面図である。
【００３４】
第４の実施の形態の屋外装置は、図４に示すように、アンプ部３０の上面に４個の筐体３１、３２、３３，３４が載置されている。筐体３１、３２、３３，３４は、図３の屋外装置の筐体２１と同様の構成であって、ケーブル３５を介してアンプ部３０に接続されて制御部として機能し、また、各筐体内には昇華性物質が封入されているので、気密が確保されている。アンプ部３０は、信号を増幅するさいに発生する熱を各筐体に伝導し、低温環境においても各筐体内の昇華性物質を効果的に昇華させる。
【００３５】
【発明の効果】
以上説明したように本発明は、筐体内部に昇華性物質を封入することにより、開閉部に使用されたゴムパッキン等の隙間から浸入しょうとする外部からの湿気／有害性気体を完全に遮断して筐体内部の気密を確保し、実装機器を保護できるという効果がある。
【００３６】
また、筐体内部の気温を上昇させることにより、装置の設置環境が低温の場合でも一定量の昇華性物質の昇華を起こさせ、外気の浸入を防止して実装機器を保護できるという効果がある。
【図面の簡単な説明】
【図１】本発明の屋外装置の第１の実施の形態の縦断面図である。
【図２】本発明の屋外装置の第２の実施の形態の縦断面図である。
【図３】本発明の屋外装置の第３の実施の形態の縦断面図である。
【図４】本発明の屋外装置の第４の実施の形態の正面図である。
【図５】屋外装置の従来例の縦断面図である。
【符号の説明】
１、１１、２１    屋外装置の筐体
２    蓋
３    本体
４    溝
５    パッキン
６    回路基板
７    昇華性物質
８    ガス
９、１０    発熱体
【図１】
0003582579.tif 000002
【図２】
0003582579.tif 000003
【図３】
0003582579.tif 000004
【図４】
0003582579.tif 000005
【図５】
0003582579.tif 000006